(57)【特許請求の範囲】
【請求項１】
床下収納空間に物品を収納する床下収納装置において、
前記床下収納空間に昇降自在に設置された昇降体と、
この昇降体と係脱される可動軸を始端に有し、昇降体の両側面部にそれぞれ対応する前記床下収納空間の各側面部に巻回状態で対設され、前記可動軸を介して前記昇降体と係合したとき該昇降体を上方に付勢しつつ該昇降体の昇降に追従して伸縮する複数対の定荷重バネと、
前記昇降体が最上位にあるとき前記定荷重バネの可動軸を押接しうる位置に、これら可動軸の配列方向に沿って移動自在に配置され、移動に伴い各可動軸をその列の端から順次押接する一対の作動杆と、
前記床下収納空間の上縁部に設けられるとともに前記一対の作動杆と接続され、作動杆の移動量を増減させて各作動杆がそれぞれ押接する前記定荷重バネの可動軸の本数を変化させることにより、前記昇降体を付勢する定荷重バネの個数を変化させる操作ボタンと、を備えたことを特徴とする床下収納装置。
【請求項２】
請求項１に記載の床下収納装置において、
前記作動杆と前記操作ボタンとは、前記昇降体の下端部に設けられた揺動アームを介して接続されたことを特徴とする床下収納装置。
【請求項３】
請求項１に記載の床下収納装置において、
前記作動杆と前記操作ボタンとは、前記床下収納空間の上縁部に配されたワイヤーを介して接続されたことを特徴とする床下収納装置。
【発明の詳細な説明】
【０００１】
【発明の属する技術分野】
本発明は、床下収納庫における物品収納器等の昇降体に対する昇降力を、その昇降体に付加される荷重に応じて選択的に均衡させることができる床下収納装置に関する。
【０００２】
【従来の技術】
家屋の床下に収納庫が設けられることが多い。この収納庫について、収納物品に対する収納あるいは取り出し作業を容易にするため、物品収納器を昇降可能とし、その昇降力を均衡させる構成も開発されるに至っている。この従来装置の例として、床下収納空間に定荷重バネをセットした物品収納器等の昇降体を備える構成も開示されている（実開平７−１９４８１号）。
【０００３】
【発明が解決しようとする課題】
上記した従来装置の構成は、一対の定荷重バネによってなる構成である。従って、収納物品の荷重に応じた付勢力を備える定荷重バネを選定することが必要となる。しかし、この場合、一対の定荷重バネについて平均的な付勢力のものが選定されることになる。このため、収納物品の荷重が軽いものであるときは、その付勢力は過大となり、また重いものであるときは、その付勢力では、不十分となる欠点がある。
【０００４】
そこで、本発明は、上記した従来装置における欠点を解消し、収納物品の荷重の大小によらず、常に一定の付勢力により昇降することができる床下収納装置を提供することを目的とした。
【０００５】
【課題を解決するための手段】
上記した目的を達成するため、本発明では、床下収納装置につき、次のように構成した。即ち、床下収納装置は、床下収納空間に昇降自在に設置された昇降体と、この昇降体と係脱される可動軸を始端に有し、昇降体の両側面部にそれぞれ対応する前記床下収納空間の各側面部に巻回状態で対設され、前記可動軸を介して前記昇降体と係合したとき該昇降体を上方に付勢しつつ該昇降体の昇降に追従して伸縮する複数対の定荷重バネと、前記昇降体が最上位にあるとき前記定荷重バネの可動軸を押接しうる位置に、これら可動軸の配列方向に沿って移動自在に配置され、移動に伴い各可動軸をその列の端から順次押接する一対の作動杆と、前記床下収納空間の上縁部に設けられるとともに前記一対の作動杆と接続され、作動杆の移動量を増減させて各作動杆がそれぞれ押接する前記定荷重バネの可動軸の本数を変化させることにより、前記昇降体を付勢する定荷重バネの個数を変化させる操作ボタンと、を備えたことを特徴とする。
つまり、床下収納空間に設置されてなる昇降体が、二対以上の定荷重バネによって、この昇降体に付加される荷重に応じて選択的に付勢し得るようにされてなる。
【０００６】
この本発明に係る床下収納装置において、昇降体は、パレットやこのパレットと収納器との組合せによるものを含む。また後者の場合、パレットに収納器を載せた構成あるいはこれらを一体化させたものを含む。
【０００７】
また、二対以上の定荷重バネは、それぞれ昇降体に対しその付勢力を有効に付加できる位置に設けられる。例えば、二対以上の定荷重バネは、昇降体の対向する両側面部の位置であって、床下収納空間の上縁部あるいはその底部に当たる位置に設けることができる。装置構成上の理由から、定荷重バネはそれぞれ床下収納空間の上縁部位置に設けられていることが好ましい。
【０００８】
また、各対の定荷重バネのバネ帯の始端は、昇降体を安定的に支持し、かつ定荷重バネの付勢力を有効に付加できる昇降体の部位に取付けられる。この取付けは、固定される場合のほか、係止される場合を含む。例えば、二以上の定荷重バネの始端を昇降体の対向する両側面部にそれぞれ取り付けた構成とすることができる。特に、昇降体が収納器を備えている場合は、定荷重バネの付勢力を有効に作用させ得る点から、その収納器の底部あるいは上縁部にあたる位置にそのバネ帯の始端がそれぞれ取付けられていることが好ましい。
【０００９】
また、本発明に係る床下収納装置は、二対以上の定荷重バネが昇降体に付加される荷重に応じて選択的に付勢し得る構成によってなる。従って、昇降体に付加される荷重の大小に応じて、選択された定荷重バネによる付勢力のみを昇降体に及ぼさせることができる。この定荷重バネの選択は、昇降時に昇降体を安定的に支持させる点から、定荷重バネの対ごとになされる。つまり、昇降体に付加される荷重が、軽量である場合には、一対の定荷重バネが選択され、またその荷重が重い場合、二対以上選択される。このため、定荷重バネの対の数については、特に制限はない。
【００１０】
二以上の定荷重バネを選択的に付勢させるには、多様な構成を採用できるが、例えば、次のように構成できる。即ち、軸方向に変位させることができる可動軸が定荷重バネのバネ帯の始端に設けられ、この可動軸が昇降体に選択的に係止することによって付勢し得るようにされてなることを特徴とする構成である。
【００１１】
上記した構成によれば、選択された対の定荷重バネの始端のみが昇降体に係止され、その係止された定荷重バネによる付勢力のみが昇降体に及ぶことになる。また、この場合、係止する可動軸の選択は、電気的に制御することにより自動的に、あるいは手動操作によることができる。
具体的には、可動軸の選択は、前記床下収納空間の上縁部に設けられるとともに前記一対の作動杆と接続され、作動杆の移動量を増減させて各作動杆がそれぞれ押接する前記定荷重バネの可動軸の本数を変化させることにより、前記昇降体を付勢する定荷重バネの個数を変化させる操作ボタンで、行われる。
前記作動杆と前記操作ボタンは、前記昇降体の下端部に設けられた揺動アームを介して接続されたことを特徴としてもよい。
また、前記作動杆と前記操作ボタンは、前記床下収納空間の上縁部に配されたワイヤーを介して接続されたことを特徴としてもよい。
【００１２】
【発明の実施の形態】
次に、本発明に係る床下収納装置の実施の形態を説明する。実施の形態に係る床下収納装置Ａは、図１及び図２に示すように、床下収納空間Ｂに設置されてなる昇降体としてのパレット１２が、このパレット１２の両側位置にそれぞれ設けられた５対の定荷重バネ１…によって、パレット１２に付加される荷重に応じて選択的に付勢し得るように構成されている。
【００１３】
定荷重バネ１の対うち、定荷重バネ１ａ、１ｃ、１ｅ、１ｇ及び１ｉは、パレット１２の一方の側面部であって床下収納空間Ｂの上縁部位置に並列的に設けられている。また、定荷重バネ１ｂ、１ｄ、１ｆ、１ｈ及び１ｊは、パレット１２の他方の側面部であって床下収納空間Ｂの上縁部位置に並列的に設けられている。これらの定荷重バネ１については、１ａと１ｂ、１ｃと１ｄ、１ｅと１ｆ、１ｇと１ｈ及び１ｉと１ｊとがそれぞれ対をなしている。
【００１４】
また、定荷重バネ１は、図３及び図４に示すように、ドラム２に巻き付けられたバネ帯４を備えている。なお、３はドラム２の支軸である。また、バネ帯４の始端４ａは、軸受５に固定されている。また軸受５内には、可動軸６がその軸方向に移動が可能な状態で設けられている。また可動軸６は、スプリング７によりパレット１２への向きに付勢されている。
【００１５】
定荷重バネ１は支軸３の両端がブラケット９の長孔部８ａ、８ａに係止されている状態で設けられている。また、ブラケット９は、この装置Ａのハウジング８内の両側部であって、収納空間Ｂの上縁部位置にそれぞれ設けられている。また、このブラケット９の下方部には、定荷重バネ１にそれぞれ対応した案内板１０が設けられている。案内板１０は、可動軸６の一端部を挿入した状態で上下方向に案内するものである。また、ハウジング８には、ブラケット９の近傍位置に係止棚１１が設けられており、移動により突出された状態の可動軸６の他端部が係止棚１１で係止される。
【００１６】
また、パレット１２の両側端部には、案内溝１３がそれぞれ設けられている。案内溝１３には、その側端面部に開口部１３ａが設けられている。また開口部１３ａには、下端縁部に切欠き１３ｂを有している。この切欠き１３ｂに対応するパレット１３の上壁部１３ｃにて突出状態にある可動軸６の一端部が係止される。従って、パレット１２が降下するとき、可動軸６を介してバネ帯４の始端４ａが下方に移動する結果、バネ帯４による付勢力がパレット１２に及ぶことになる。
【００１７】
また、案内溝１３には先端側部にテーパー状面を形成した作動杆１５がそれぞれ設けられている。この作動杆１５の側面部は各可動軸６の一端を押接させることができる位置にある。またこの作動杆１５は、パレット１２の内方へ突出した係合部１６をそれぞれ有している。この係合部１６には長孔１７を有し、長孔１７には揺動アーム１９ａ又は１９ｂの端部に有するピン２０が係合している。
【００１８】
揺動アーム１９ａ、１９ｂは、パレット１２の中央位置の回転支軸１８に対してほぼ対称形でかつ直線的に連設されている。また、これらの揺動アーム１９ａ、１９ｂにほぼ直交して同形の揺動アーム１９ｃが連設されている。この揺動アーム１９ｃ端のピン２０は、操作杆２１の係合部２２に有する長孔２３に係合されている。
【００１９】
操作杆２１はパレット１２の側面部に有する開口部１２ｂから突出した状態の突部２４を有している。操作杆２１に対しては、操作ボタン２５によって移動操作することができる。即ち、図５に示すように、操作ボタン２５はハウジング８の上縁部に設けられた誘導溝８ａにスライドが可能なように設けられている。
【００２０】
パレット１２が最上位にあるとき、突部２４は操作ボタン２５の係止凹部２６に係止できる位置にある。従って、操作ボタン２５を突部２４に係止させた状態で誘導溝８ａに沿って移動させると、これに従って操作杆２１が移動する。この操作杆２１の移動に伴って、揺動アーム１９ｃと同時に揺動アーム１９ａ及び１９ｂを回転支軸１８回りに揺動させる。
【００２１】
この揺動アーム１９ａ及び１９ｂの揺動により、作動杆１５、１５はスプリング１４の付勢力に抗して互いに反対の向きに案内溝１３に沿って移動される。作動杆１５の移動に従って、作動杆１５の側面部が順に可動軸６を押接する状態となる。この結果、作動杆１５により押接された一部の可動軸６は、その他端部が突出状態となって、係止棚１１にまで及ぶ。図６は、定荷重バネ１ｉ、１ｇ及び１ｅについての可動軸６が押接された場合を示す。
【００２２】
また、図７に示すように、この状態でパレット１２が降下されると、係止棚１１に及んだ定荷重バネ１ｉ、１ｇ及び１ｅについての可動軸６…のバネ帯の始端４ａはその位置が維持されるが、その他の定荷重バネ１ｃ及び１ａについての可動軸６は係止壁１３ｃに係止された状態でパレット１２と共に下方に移動される。この移動された始端４ａのバネ帯４による付勢力がパレット１２に作用することになる。この付勢力により、パレット１２に付加される荷重と均衡させることができる。このような可動軸６に対する作動杆１５による作動構成によって、二対以上の定荷重バネ１の選択的な付勢構成を得ることができる。
【００２３】
また、この床下収納装置Ａに対しては、次のように操作することができる。先ず、作動杆１５、１５は、当初、スプリング１４の付勢力によっていずれの可動軸６をも押接しない位置にある。このため、パレット１２が最上位にあるとき、いずれの可動軸６も係止壁１３ｃに係止する状態にある。従って、パレット１２には全ての定荷重バネ１の付勢力が作用している。この状態で、収納器１２ａ内に収納物品を収納しても、その荷重が全付勢力を超えない限り、直ちにパレット１２は降下することはない。次いで、前記したように、操作ボタン２５を操作することにより、作動杆１５を移動させると、収納物品の荷重と選択された定荷重バネ１による付勢力とが均衡するところで、パレット１２が降下し始めることになる。このように、収納物品の荷重に合わせて必要な定荷重バネ１の数を容易に選択することができる。
【００２４】
次に、本発明に係る床下収納装置Ｂの第二の実施の形態を図８に示した。床下収納装置Ｂは、定荷重バネ１を選択する作動杆３０、３０を係止棚１１に沿った位置にそれぞれ設けたものである。この作動杆３０の配設位置は、ブラケット９の外側部にあたる。このため、定荷重バネ１の可動軸６に対しては、その外寄りの端部を押接する。従って、可動軸６に対するスプリング７による付勢力は、この外寄りの端部が突状となるように作用している。
【００２５】
作動杆３０にはワイヤー３１の一端が連結されており、またワイヤー３１の他端はプーリー３２を介して操作ボタン３３に連結されている。また、作動杆３０に対しては、作動杆３０が全ての可動軸６を押接する状態にあるようにスプリング３４により付勢されている。従って、操作ボタン３３を誘導溝８ａに沿って移動操作すると、作動杆３０、３０は、ワイヤー３１によって引張される。このワイヤー３１による引張によって互いに反対の向きに移動し、対となっている可動軸６に対して順にその押接状態が解除される。この押接状態が解除された可動軸６は係止棚１１に係止される状態で突出する。その後のパレット１２が降下する際の作用は、床下収納装置Ａによる作用と同様である。
【００２６】
【発明の効果】
上述したように本発明は構成されるから、次のような効果が発揮される。先ず、本発明では、二対以上の定荷重バネによって昇降体に選択的に付勢し得るように構成したことから、収納物品の荷重に応じた定荷重バネによる付勢力を作用させることが可能となった。これにより、常に均衡した状態で昇降体を取り扱うことができる。
【００２７】
また、二対以上の個々の定荷重バネについては、特に、過大な付勢力を有するものを必要としないから、装置の設計が容易であり、また経済的に安価に構成することができる。
【００２８】
また、軸方向に移動する可動軸がバネ帯の始端に設けられ、この可動軸を選択的に昇降体に係止させて定荷重バネの付勢力を作用させる構成によれば、収納物品の荷重に応じた数の定荷重バネを容易に選択することができる。これにより、二対以上の定荷重バネに対する選択操作が極めて容易となる。
【図面の簡単な説明】
【図１】本発明に係る床下収納装置の部分断面正面図である。
【図２】同の破断面平面図である。
【図３】同の部分縦断面図である。
【図４】同の部分側面図である。
【図５】同の部分縦断面図である。
【図６】同の説明的部分破断面平面図である。
【図７】同の説明的部分側面図である。
【図８】同の平面図である。
【符号の説明】
Ａ、Ｂ  床下収納装置
１、１ａ〜１ｊ  定荷重バネ
４ａ  バネ帯の始端
６  可動軸
１２  パレット
１５、３０  作動杆
【図１】
0004146011.tif 000002
【図２】
0004146011.tif 000003
【図３】
0004146011.tif 000004
【図４】
0004146011.tif 000005
【図５】
0004146011.tif 000006
【図６】
0004146011.tif 000007
【図７】
0004146011.tif 000008
【図８】
0004146011.tif 000009